(57)【要約】【課題】設置場所で、屋根体を筐体上面に取り付けたり、取り外したりすることが容易でありさらに、屋根体を取り外した状態でも防水性を有する屋外型キャビネットを提供することにある。【解決手段】開閉自在な扉２を前面に有する筐体１と、屋根本体部５１と前側に庇部５２とを有して前記筐体１の上面に取り付けられる屋根体５２と、を有する屋外型キャビネットにおいて、前記筐体１の上部で対向する位置にある外面５３、５４に前記筐体に貫通しない係止部３ａ、４ａを備えてなり、前記屋根体５は前記屋根本体部５１に垂下して前記筐体１の外面の外側に対向する対の屋根側板５３、５４を有してなり、前記屋根側板５３、５４には前記係止部３ａ、４ａに対応する位置に被係止部６ａ、７ａを備えてなり、前記屋根体５は前記筐体１に着脱自在に取り付けられてなる。【選択図】  図３
2004229470.tif 000002
【特許請求の範囲】
【請求項１】
開閉自在な扉を前面に有する筐体と、屋根本体部と前側に庇部とを有して前記筐体の上面に取り付けられる屋根体と、を有する屋外型キャビネットにおいて、前記筐体の上部で対向する位置にある外面に前記筐体に貫通しない係止部を備えてなり、前記屋根体は前記屋根本体部に垂下して前記筐体の外面の各々で外側に対向する対の屋根側板を有してなり、前記屋根側板には前記係止部に対応する位置に被係止部を備えてなり、前記屋根体は前記筐体に着脱自在に取り付けられてなることを特徴とする屋外型キャビネット。
【請求項２】
前記係止部は、凹状に形成されてなることを特徴とする請求項１記載の屋外型キャビネット。
【請求項３】
前記係止部は、前記筐体面を加工されてなることを特徴とする請求項２記載の屋外型キャビネット。
【請求項４】
前記被係止部のうち少なくとも一個は、凸状の弾性体からなることを特徴とする請求項２又は請求項３記載の屋外型キャビネット。
【請求項５】
前記屋根側板の少なくとも一方は、可撓性を有するものであることを特徴とする請求項１乃至請求項４記載の屋外型キャビネット。
【請求項６】
前記屋根側板の少なくとも一方は、前記屋根本体部の内側に枢着されてなることを特徴とする請求項１乃至請求項５記載の屋外型キャビネット。
【請求項７】
前記筐体の上部背面および上部前面に係止部を有し、前記上部前面の係止部に対応する位置に設けられた被係止部を、前記扉と前記筐体上部前面との間に配置してなることを特徴とする請求項１乃至請求項６記載の屋外型キャビネット。
【発明の詳細な説明】
【０００１】
【発明の属する技術分野】
本発明は、筐体内部に、各種ブレーカ、無停電電源装置やサーバー等の電気機器を収納して、屋外に設置される屋外型キャビネットに関するものである。
【０００２】
【従来の技術】
筐体内部に、各種の電気機器を収納して、屋外に設置される屋外型キャビネット（電気機器収納箱）は、特開２００２−１６５３１５や特開２０００−３７００６に開示されているように、筐体の上面に屋根体が取り付けられている。図８は、特開２００２−１６５３１５に開示されている構成を示す斜視図である。このものは、筐体１０１の上面１０２に、上面が傾斜して庇部１０４を有する屋根体１０３を取り付けることにより、屋根体の上面に滴下した雨水を流下して、雨水を屋根体上面に留まりにくくして、雨水が筐体の開口部（図示せず）から内部に流入することを防止している。
【０００３】
【特許文献１】
特開２００２−１６５３１５号公報（第４−６頁、図１）
【０００４】
【特許文献２】
特開２０００−３７００６号公報（第２―３頁、図２）
【０００５】
【発明が解決しようとする課題】
図８に示す屋外型キャビネットでは、屋根体１０３は、螺子状の固定具により筐体１０１の上面１０２に固定して取り付けられている。このため、屋根体１０３が取り付けられた状態で屋外型キャビネットを設置場所まで輸送するために梱包する場合に、この屋根体１０３の前側の庇部１０４のために余分なスペースが必要となってしまう。また、屋根体１０３と、筐体１０１とを別々に輸送して、屋外型キャビネット設置場所で、組み立てるためには、両者を正確に位置あわせをして、ドライバー等の工具を用いて組み立てることが必要となっていた。さらに、屋根体１０３の保守時や設置場所の状況に応じて屋根体１０３を取り外した状態で、筐体１０１のみで屋外型キャビネットを使用する場合は、上面１０２の固定具用貫通孔１０５から雨水が筐体１０１内部へ侵入することを防止するために、別のカバーを取り付ける等の手段を講じる必要があった。
【０００６】
本発明は、かかる事由に鑑みてなしたもので、その目的とするところは、設置場所で、屋根体を筐体上面に取り付けたり、取り外したりすることが容易であり、さらに、屋根体を取り外した状態でも防水性を有する屋外型キャビネットを提供することにある。
【０００７】
【課題を解決するための手段】
請求項１に係る発明の屋外型キャビネットは、開閉自在な扉を前面に有する筐体と、屋根本体部と前側に庇部とを有して前記筐体の上面に取り付けられる屋根体と、を有する屋外型キャビネットにおいて、前記筐体の上部で対向する位置にある外面に前記筐体に貫通しない係止部を備えてなり、前記屋根体は前記屋根本体部に垂下して前記筐体の外面の各々で外側に対向する対の屋根側板を有してなり、前記屋根側板には前記係止部に対応する位置に被係止部を備えてなり、前記屋根体は前記筐体に着脱自在に取り付けられてなることを特徴としている。
【０００８】
請求項２に係る発明の屋外型キャビネットは、請求項１の構成において、前記係止部は、凹状に形成されてなることを特徴としている。
【０００９】
請求項３に係る発明の屋外型キャビネットは、請求項２の構成において、前記係止部は、前記筐体面を加工されてなることを特徴としている。
【００１０】
請求項４に係る発明の屋外型キャビネットは、請求項２又は請求項３の構成において、前記被係止部のうち少なくとも一個は、凸状の弾性体からなることを特徴としている。
【００１１】
請求項５に係る発明の屋外型キャビネットは、請求項１乃至請求項４の構成において、前記屋根側板の少なくとも一方は、可撓性を有するものであることを特徴としている。
【００１２】
請求項６に係る発明の屋外型キャビネットは、請求項１乃至請求項５の構成において、前記屋根側板の少なくとも一方は、前記屋根本体部の内側に枢着されてなることを特徴としている。
【００１３】
請求項７に係る発明の屋外型キャビネットは、請求項１乃至請求項６の構成において、前記筐体の上部背面および上部前面に係止部を有し、前記上部前面の係止部に対応する位置に設けられた被係止部を、前記扉と前記筐体上部前面との間に配置してなることを特徴としている。
【００１４】
【発明の実施の形態】
（実施形態１）
本実施形態に係る屋外型キャビネットを、図１〜５に基づいて説明する。図１は、本実施形態の筐体の図面であり、図１（ａ）は正面図、図１（ｂ）は側面図、図１（ｃ）は背面図、図１（ｄ）はＸ―Ｘの断面図（扉は開いた状態）である。図２は、本実施形態の屋根体の図面であり、図２（ａ）は正面図、図２（ｂ）は底面図、図２（ｃ）は側面図、図２（ｄ）はＹ―Ｙの断面図である。図３は、両者を係止する途中の状態を示す断面図、図４は、両者を係止した状態を示す断面図である。図５は両者を係止した図面であり、図５（ａ）は正面図、図５（ｂ）は側面図である。
【００１５】
１は筐体で、図１に示すように、金属板を折り曲げて略直方体形状としたものであり、前面は開口部１５となっていて、開閉自在の扉２が取り付けられている。筐体１の内部には、各種ブレーカ、無停電電源装置やサーバー等の電気機器（図示せず）が収納されている。筐体１の上部背面１１には、凹状に形成されてなる第１係止部３ａ、３ｂが設けられている。また、筐体の上部前面１２には、凹状に形成されてなる第２係止部４ａ、４ｂが設けられている。
【００１６】
５は屋根体で、図２に示すように、屋根本体部５１は金属板からなり、前方が低くなるように傾斜している。屋根本体部５１の前方は、庇部５２となっていて、前方斜め方向から筐体１の前面の開口部１５へと流下する雨水の侵入を防止している。屋根本体部５１の後端には、金属板からなる屋根側板５３が垂下して設けられ、屋根側板５３には、屋根体５の内側へ凸状に形成してなる第１被係止部６ａ、６ｂが設けられている。また、屋根側板５３には、筐体上面１３と接触するＬ字状の背面金具５５が取り付けられている。さらに、屋根本体部５１の前端には、金属板からなる他の屋根側板５４が垂下して設けられている。この屋根側板５４に孔を開けて、この孔に金属板を湾曲させた弾性体を取り付けることで、第２被係止部７ａ、７ｂが設けられる。また、屋根側板５４の一部を折り曲げることで、筐体上面１３と接触する前面保持部５６としている。
【００１７】
屋根体５を筐体１の上面１３に取り付けるには、まず、筐体１の扉２を開放した状態で、図３に示すように、第１被係止部６ａ、６ｂを、筐体１の第１係止部３ａ、３ｂと係合させて、背面金具５５を筐体上面１３で支持させるように、屋根体５を配置させる。この後、第１被係止部６ａ、６ｂを支点として、屋根体５を矢印Ａの方向に回動させて、第２被係止部７ａ、７ｂを、筐体１の第２係止部４ａ、４ｂに係止させる。このとき、弾性体である第２被係止部７ａ、７ｂは、筐体１の上部前面１２と接触して撓みながら、滑り下りて、最終的には、第２係止部４ａ、４ｂの内部に収まって係止される。この状態で、背面金具５５及び前面保持部５６は筐体上面１３に接触して、屋根体５が筐体上面１３に冠着されて固定される。ここで、筐体１の扉２を閉じると、図４に示すように、この扉２の上端部２１が、第２被係止部７ａ、７ｂの弾性体を第２係止部４ａ、４ｂの内部へと押しつける。このために、扉２が閉じられている状態では、第２係止部４ａ、４ｂと第２被係止部７ａ、７ｂとの結合は、外れることがなく、屋根体５は、筐体上面１３に確実に固定されている。一方、扉２を開放した状態で、庇部５２の部分を持って屋根体５を手前に引くことで、第２被係止部７ａ、７ｂを第２係止部４ａ、４ｂから引き外し、第１被係止部６ａ、６ｂを支点として、屋根体５を矢印Ａの反対方向に回動させることで、屋根体５を筐体１から取り外すことができる。
【００１８】
本実施形態では、屋根体５を筐体１へ取り付ける作業は、人手で容易に実施可能であり、螺子やピン等の部品を用いることがないので、ドライバー等の工具も不要となる。したがって、筐体１と屋根体５とを、工場から別々に搬送して、螺子止め等の作業をすることなく、屋外型キャビネットを設置する場所で簡単に組み立てることができる。また、屋根体５は、筐体１を上部背面１１と上部前面１２との両側で係止しているので、取り付け後は、容易には離脱しにくい。一方、逆に保守等の時に、人手で屋根体５を筐体１から取り外すことは容易であり、ドライバー等の工具も不要となる。したがって、保守やリサイクルのために屋外型キャビネットから屋根体５を取り外すときの作業性が向上する。
【００１９】
また、設置場所が建物の庇下のような場所であって屋根体５が不要な場合や保守点検等で一時的に屋根体５を取り外して、筐体１のみで、屋外型キャビネットとして使用する場合であっても、貫通孔がないために雨水が筐体１の内部に侵入する恐れが少ない。さらに、筐体１の上面１３には凹みがなく、平面となっているので、雨水等が溜まることがない点でも防水性に優れている。また、この状態で、筐体１の第１係止部３ａ、３ｂは凹状となっていて、筐体１の背面には突起物がないために、壁面に筐体１の背面を密着させて固定することができる。あわせて、第１係止部３ａ、３ｂは筐体１の背面に別部品を取り付けるのではなく単に凹ませるのみであり、第２係止部４ａ、４ｂは筐体１の前面に別部品を取り付けるのではなく単に凹ませるのみであり、第１係止部３ａ、３ｂと第２係止部４ａ、４ｂとはそれぞれ筐体１に一体成形が可能であり、これによって生産性が向上する。
【００２０】
さらに、第２被係止部７ａ、７ｂには弾性体を用いて係止する構造であるので、第２係止部４ａ、４ｂと第２被係止部７ａ、７ｂとの相対位置に多少のばらつきがあっても、両者を係止することが可能となる。この結果として、螺子止めのものと比較すると寸法誤差の許容度が大きくなり、生産性が向上する。
【００２１】
なお、第１係止部、第２係止部を設けるのは、それぞれ上部背面と上部前面に限られない。例えば、これらは、上部右側面と上部左側面に設けてもかまわない。また、弾性体は、金属板を湾曲したものに限らず、バネやゴムであってもよい。また、弾性体を用いるのは、第２被係止部に限らず、第１係止部、第２係止部、第１被係止部のいずれであってもよい。さらに、屋根側板が可撓性を有してなるものであれば、撓みを利用することでより容易に係止することが可能となるとともに、この屋根体の弾力によって確実に係止される。
【００２２】
（実施形態２）
実施形態２に係る屋外型キャビネットを、図６、７に基づいて説明する。図６は、屋根体を筐体に取り付ける途中の状態を示す断面図、図７は、屋根体を筐体に取り付けた状態を示す断面図である。実施形態２は、実施形態１に類似しており、筐体１は略同一構造である。また、屋根体５は第２被係止部の構造が異なっている。なお、実施形態１と同一の構造部分には、同じ符号を付している。
【００２３】
実施形態２で、屋根体５の第２被係止部７ｃ、７ｄは、円錐台形状の固形物であり、前側の屋根側板５４ａに取り付けられている。屋根側板５４ａは、屋根本体部５１の内側に配設されている回動支点８に枢着されていて、回動支点８を支点として回動が可能となっている。また、屋根側板５４ａの前方で庇部５２の内側には、コイルバネ９が配設されている。屋根側板５４ａは、外力が加わらないときには、コイルバネ９により屋根体５の背面の屋根側板５３と略平行となる位置に保持されている。
【００２４】
屋根体５を筐体上面１３に取り付けるには、筐体１の扉２を開放した状態で、図６に示すように、第２被係止部７ｃ、７ｄを前方になるように屋根側板５４ａを回動させた状態で、筐体上面１３の上方から、屋根体５を筐体上面１３に冠着させる。こうすると、図７に示すように、コイルバネ９の力によって、第２被係止部７ｃ、７ｄが第２係止部４ａ、４ｂに係止される。また、扉２を閉じておくと、コイルバネ９が弾力を失っても、扉２の上端部２１の働きにより、係止が外れることはない。また、扉２の上端部２１にパッキン２２を取り付けることにより、雨水の侵入が防止され、防水性が向上する。
【００２５】
本実施形態では、屋根体５を筐体１の上方から容易に取り付けることができるとともに、屋根体５を筐体１から上方へと容易に取り外すことができる。このために、筐体１の背面方向にスペースのない場所に屋外型キャビネットを設置するのに便利であり、狭い作業スペースでも屋根体５の着脱作業が容易となる。
【００２６】
なお、屋根側板５４ａの前方で庇部５２の内側に配設されるのは、コイルバネ９に限らず、板バネ等のバネであってもよい。
【００２７】
【発明の効果】
請求項１に係る発明の屋外型キャビネットは、開閉自在な扉を前面に有する筐体と、屋根本体部と前側に庇部とを有して前記筐体の上面に取り付けられる屋根体と、を有する屋外型キャビネットにおいて、前記筐体の上部で対向する位置にある外面に前記筐体に貫通しない係止部を備えてなり、前記屋根体は前記屋根本体部に垂下して前記筐体の外面の外側に対向する対の屋根側板を有してなり、前記屋根側板には前記係止部に対応する位置に被係止部を備えてなり、前記屋根体は前記筐体に着脱自在に取り付けられてなることを特徴としているので、工具を使用することなく屋外型キャビネットの設置場所での屋根体の取り付け及び取り外しが可能であり、また、前記筐体の両側で前記屋根体を係止しているために前記屋根体が容易には離脱しにくく、さらに、筐体に貫通孔がないために屋根体のない状態で屋外型キャビネットを使用しても雨水に対する防水性が確保されている。
【００２８】
請求項２に係る発明の屋外型キャビネットは、請求項１の構成において、前記係止部は、凹状に形成されてなることを特徴としているので、請求項１記載の効果に加えて、筐体に突起物がないために屋根体を取り外した状態での使用の利便性が向上する。
【００２９】
請求項３に係る発明の屋外型キャビネットは、請求項２の構成において、前記係止部は、前記筐体面を加工されてなることを特徴としているので、請求項２記載の効果に加えて、別部品を取り付けることなく、前記筐体面の一部を凹ますのみで前記係止部を一体形成することができて、生産性が向上する。
【００３０】
請求項４に係る発明の屋外型キャビネットは、請求項２又は請求項３の構成において、前記被係止部のうち少なくとも一個は、凸状の弾性体からなることを特徴としているので、請求項２又は請求項３記載の効果に加えて、係止部と被係止部との相対位置に多少のばらつきがあっても、係止が可能となる。
【００３１】
請求項５に係る発明の屋外型キャビネットは、請求項１乃至請求項４の構成において、前記屋根側板の少なくとも一方は、可撓性を有するものであることを特徴としているので、請求項１乃至請求項４記載の効果に加えて、前記屋根側板の弾性力によってさらに確実に筐体と屋根体が係止される。
【００３２】
請求項６に係る発明の屋外型キャビネットは、請求項１乃至請求項５の構成において、前記屋根側板の少なくとも一方は、前記屋根本体部の内側に枢着されてなることを特徴としているので、請求項１乃至請求項５記載の効果に加えて、狭い作業スペースでも屋根体の着脱作業が容易となる。
【００３３】
請求項７に係る発明の屋外型キャビネットは、請求項１乃至請求項６の構成において、前記筐体の上部背面および上部前面に係止部を有し、前記上部前面の係止部に対応する位置に設けられた被係止部を、前記扉と前記筐体上部前面との間に配置してなることを特徴としているので、請求項１乃至請求項６記載の効果に加えて、扉によってさらに確実に筐体と屋根体が係止される。
【図面の簡単な説明】
【図１】実施形態１の筐体の図面であり、（ａ）は正面図、（ｂ）は側面図、（ｃ）は背面図、（ｄ）はＸ―Ｘの断面図である。
【図２】実施形態１の屋根体の図面であり、（ａ）は正面図、（ｂ）は底面図、（ｃ）は側面図、（ｄ）はＹ―Ｙの断面図である。
【図３】実施形態１の屋外型キャビネットでの、屋根体を筐体に取り付ける途中の状態を示す断面図である。
【図４】実施形態１の屋外型キャビネットでの、屋根体を筐体に取り付けた状態を示す断面図である。
【図５】実施形態１の屋外型キャビネットで、屋根体を筐体に取り付けた状態の図面であり、（ａ）は正面図、（ｂ）は側面図である。
【図６】実施形態２の屋外型キャビネットでの、屋根体を筐体に取り付ける途中の状態を示す断面図である。
【図７】実施形態２の屋外型キャビネットでの、屋根体を筐体に取り付けた状態を示す断面図である。
【図８】従来の屋外型キャビネットの一例を示す斜視図である。
【符号の説明】
１          筐体
１１        筐体の上部背面
１２        筐体の上部前面
１３        筐体上面
１５        開口部
２          扉
２１        扉の上端部
２２        パッキン
３ａ、３ｂ  第１係止部
４ａ、４ｂ  第２係止部
５          屋根体
５１        屋根本体部
５２        庇部
５３、５４  屋根側板
５４ａ      屋根側板（回動可能なもの）
５５        背面金具
５６        前面保持部
６ａ、６ｂ  第１被係止部
７ａ、７ｂ、７ｃ、７ｄ  第２被係止部
８          回動支点
９          コイルバネ
Ａ          屋根体の回動方向
【図１】
2004229470.tif 000003
【図２】
2004229470.tif 000004
【図３】
2004229470.tif 000005
【図４】
2004229470.tif 000006
【図５】
2004229470.tif 000007
【図６】
2004229470.tif 000008
【図７】
2004229470.tif 000009
【図８】
2004229470.tif 000010